(57)【要約】【課題】パチンコ遊技機の前側から透明板に磁石を近づけ、該磁石に遊技球を吸着して前記特別入賞口へ故意に入賞させるという不正行為を防止するようにしたパチンコ遊技機の役物装置を提供する。【解決手段】遊技盤４２面より前側に配置される入賞領域９と該入賞領域９の後側に配置されるステージ板８とを備え、前記入賞領域９には通常入賞口１０及び特別入賞口１１を遊技盤４２面と平行となるように横並びに設け、入賞した遊技球Ｂを前記ステージ板８上面を転動させて入賞領域９へ導くことにより、前記遊技球Ｂが通常入賞口１０又は特別入賞口１１のいずれかに入賞するようにし、前記特別入賞口１１に、その後側からのみしか遊技球Ｂが入賞し得ないように特別入賞口１１を囲う囲い枠部材３９を設けた構成からなる。【選択図】図１
2007307207.tif 000002
【特許請求の範囲】
【請求項１】
遊技盤面より前側に配置される入賞領域と該入賞領域の後側に配置され前方へ下傾するステージ板とを備え、前記入賞領域には上面が開口する通常入賞口及び同じく上面が開口しかつ遊技者に特別有利となる特別入賞口を前記遊技盤面と平行となるように横並びに設け、入賞した遊技球を前記ステージ板上面を転動させて前記入賞領域へ導くことにより、前記遊技球が前記通常入賞口又は特別入賞口のいずれかに入賞するようにしたパチンコ遊技機の役物装置であって、
前記特別入賞口に、その後側からのみしか前記遊技球が入賞し得ないように前記特別入賞口を囲う囲い枠部材を設けたことを特徴とするパチンコ遊技機の役物装置。
【請求項２】
前記囲い枠部材は、前記特別入賞口の側方と上方を覆いかつ後面が開放されるように形成された請求項１記載のパチンコ遊技機の役物装置。
【請求項３】
遊技盤面より前側に配置される入賞領域と該入賞領域の後側に配置され前方へ下傾するステージ板とを備え、前記入賞領域には上面が開口する通常入賞口及び同じく上面が開口しかつ遊技者に特別有利となる特別入賞口を前記遊技盤面と平行となるように横並びに設け、入賞した遊技球を前記ステージ板上面を転動させて前記入賞領域へ導くことにより、前記遊技球が前記通常入賞口又は特別入賞口のいずれかに入賞するようにしたパチンコ遊技機の役物装置であって、
前記通常入賞口に、その後側からのみしか前記遊技球が入賞し得ないように前記通常入賞口を囲う囲い枠部材を設けたことを特徴とするパチンコ遊技機の役物装置。
【請求項４】
前記囲い枠部材は、前記通常入賞口の側方と上方を覆いかつ後面が開放されるように形成された請求項３記載のパチンコ遊技機の役物装置。
【請求項５】
前記囲い枠部材は、透明な素材により形成されている請求項１乃至４の内いずれか一つに記載のパチンコ遊技機の役物装置。
【発明の詳細な説明】
【技術分野】
【０００１】
本発明は、磁石による不正行為を防止するようにしたパチンコ遊技機の役物装置に関するものである。
【背景技術】
【０００２】
従来、この種遊技盤面に装着される役物装置として、例えば本出願人は次のような構成からなるものを特許出願した。すなわち、該役物装置は、所謂「ヒコーキ」または「羽根物」などと称される第２種パチンコ遊技機に使用されるものであって、両側の可変入賞口にそれぞれ可動片を設け、内部には前記可変入賞口と連通する遊技室を形成している。この遊技室の底面に前方へ下傾するステージ板が敷設され、該ステージ板の下端に遊技盤面より前側に位置して入賞領域が設けられている。該入賞領域には、その中央に遊技者に特別有利となる特別入賞口が設けられ、その両横に通常入賞口が遊技盤と平行となるように横並びに設けられている（例えば、特許文献１参照。）。
【０００３】
そして、遊技盤面に装着された所定の始動口に遊技球が入賞すると、ソレノイドが作動して前記可動片が１回乃至２回開き、遊技盤面を流下する遊技球を捕捉する。捕捉された遊技球は可変入賞口からその下部の遊技室に入りそのステージ板の上面を転動して前方へ導かれ、通常入賞口または特別入賞口に入賞することになる。そこで、遊技球が通常入賞口に入賞したときは、所定数の賞球が払い出されるのみであるが、遊技球が特別入賞口に入賞すると遊技者に特別有利となる状態、すなわち大当り状態が発生する。
【０００４】
この大当り状態では、前記両可動片が開閉動作を繰り返し、可変入賞口に遊技球が１０個入賞するか若しくは該可動片が１８回開閉すると第１ラウンドが終る。この第１ラウンドの間に前記可変入賞口から入賞した遊技球の少なくとも１個が特別入賞口に入賞した場合は、第２ラウンドが開始されて第１ラウンドと同様に可動片の開閉動作が繰り返される。その間、少なくとも１個の入賞球が特別入賞口に入賞したことを条件に、以下同様のラウンドが最高１５ラウンドまで繰り返され、一度に多くの賞球が獲得できるようになっている。
【０００５】
【特許文献１】特許第３７２５０５６号公報（第３−５頁、図２乃至図４）
【発明の開示】
【発明が解決しようとする課題】
【０００６】
このように、役物装置の特別入賞口に遊技球が入賞するか否かは、遊技者が一度に多くの賞球を獲得できるか否かに掛かっており、多大な利益につながる可能性が高いことから遊技者の最大の関心事になっている。
【０００７】
ところで、前記特許文献１に係る役物装置にあっては、特別入賞口と通常入賞口とで構成される入賞領域が、役物装置の前端部、すなわち、役物装置を遊技盤面に装着したとき、前記特別入賞口と通常入賞口とが遊技盤面より前側に配置されている。換言すれば、特別入賞口も通常入賞口も、遊技盤の前側を覆う二枚の透明板に近接して位置することになる。このため、例えば、遊技者がパチンコ遊技機の前側から前記透明板の前面に強力な磁石を近づけ、前記役物装置に入賞すると共にステージ板上面を転動して本来通常入賞口に入賞する遊技球を、前記磁石に吸着してそのまま特別入賞口へ故意に入賞させてしまうという不正行為が行なわれるおそれがある。これは、特別入賞口や通常入賞口が透明板の裏面に近接して配置され、しかも、それぞれの開口が上方を向いていることに起因している。
【０００８】
そこで、本発明は上記課題に鑑みてなされたもので、パチンコ遊技機の前側から透明板に磁石を近づけ、該磁石に遊技球を吸着して前記特別入賞口へ故意に入賞させるという不正行為を防止するようにしたパチンコ遊技機の役物装置を提供することを目的とするものである。
【課題を解決するための手段】
【０００９】
かかる目的を達成するため本発明のパチンコ遊技機の役物装置は、遊技盤面より前側に配置される入賞領域と該入賞領域の後側に配置され前方へ下傾するステージ板とを備え、前記入賞領域には上面が開口する通常入賞口及び同じく上面が開口しかつ遊技者に特別有利となる特別入賞口を前記遊技盤面と平行となるように横並びに設け、入賞した遊技球を前記ステージ板上面を転動させて前記入賞領域へ導くことにより、前記遊技球が前記通常入賞口又は特別入賞口のいずれかに入賞するようにしたパチンコ遊技機の役物装置であって、前記特別入賞口に、その後側からのみしか前記遊技球が入賞し得ないように前記特別入賞口を囲う囲い枠部材を設けた構成からなる。この際、前記囲い枠部材は、例えば前記特別入賞口の側方と上方を覆いかつ後面が開放されるように形成することが好ましい。
【００１０】
また、本発明のパチンコ遊技機の役物装置は、遊技盤面より前側に配置される入賞領域と該入賞領域の後側に配置され前方へ下傾するステージ板とを備え、前記入賞領域には上面が開口する通常入賞口及び同じく上面が開口しかつ遊技者に特別有利となる特別入賞口を前記遊技盤面と平行となるように横並びに設け、入賞した遊技球を前記ステージ板上面を転動させて前記入賞領域へ導くことにより、前記遊技球が前記通常入賞口又は特別入賞口のいずれかに入賞するようにしたパチンコ遊技機の役物装置であって、前記通常入賞口に、その後側からのみしか前記遊技球が入賞し得ないように前記通常入賞口を囲う囲い枠部材を設けた構成からなる。この際、前記囲い枠部材は、前記通常入賞口の側方と上方を覆いかつ後面が開放されるように形成することが好ましい。
【００１１】
前記特別入賞口又は通常入賞口を覆う囲い枠部材は、それぞれ透明な素材により形成することが好ましい。
【発明の効果】
【００１２】
本発明に係るパチンコ遊技機の役物装置は、遊技球をステージ板上面を転動させて入賞領域へ導くことにより、前記遊技球が通常入賞口又は特別入賞口のいずれかに入賞するようにしたパチンコ遊技機の役物装置であって、前記特別入賞口または通常入賞口に、それら後側からのみしか前記遊技球が入賞し得ないように該特別入賞口または通常入賞口を囲う囲い枠部材を設けるようにした。よって、たとえ遊技者が透明板の前側に磁石を近づけ遊技球を故意に特別入賞口に入賞させようとしても、その遊技球は囲い枠部材に阻まれ入賞させることができなくなる。これにより、故意に特別入賞口に遊技球を入賞させるという不正行為が防止できるという効果がある。
【００１３】
前記囲い枠部材は、例えば、前記特別入賞口または通常入賞口の側方と上方を覆いかつ後面が開放されるように形成したものが適用でき、これによって不正行為が防止される。また、囲い枠部材を透明な素材により形成すれば、遊技者にとって特定入賞口または通常入賞口に遊技球が入賞する動作が視認し得て安心でき、しかも、デザイン的に興趣が殺がれるといったことがないという効果がある。
【発明を実施するための最良の形態】
【００１４】
以下に、本発明に係るパチンコ遊技機の役物装置の実施の形態を図面に基づき説明する。図１は本発明に係る役物装置の斜視図、図２は同正面図、図３は図２のＸ−Ｘ線断面図、図４は図２のＹ−Ｙ線断面図である。本発明にあっては、役物装置として可変入賞装置について説明する。
【００１５】
可変入賞装置Ａは、後記する遊技盤４２面に取り付けられる取付基板１を有し、該取付基板１に開口２が開設されると共に該開口２を囲うようにしてその前面に半透明なプラスチック板からなる枠体３が突設される。前記取付基板１の後側に箱状体４が固着され、該箱状体４内に前記開口２と連通する遊技室５が形成される。該遊技室５の後側正面壁６に人形７が突出状に設けられ、底部には前方へ下傾するステージ板８が敷設されている。また、該ステージ板８の前端に入賞領域９が成形される。該入賞領域９は、前記枠体３内に配置され、遊技盤４２より前側に位置することになる。そして、該入賞領域９に上面が開口する通常入賞口１０及び同じく上面が開口し、かつ遊技者に特別有利となる特別入賞口１１が遊技盤面と平行となるようにして、中央に特別入賞口１１がまたその両側に通常入賞口１０，１０が横並びに設けられる。特別入賞口１１内には入賞した遊技球を電気的に検出する継続スイッチ１２が設けられる。
【００１６】
前記枠体３の上辺部両サイドにカウントスイッチ１３を備えた可変入賞口１４，１４が設けられ、該各可変入賞口１４の外側にソレノイド１５の駆動により起立または外側に傾動することで該各可変入賞口１４を開閉させる可動片１６が軸着されている。該各可動片１６は軸受部１７に回転自在に支持した回動軸１８の先端に設けられ、該回動軸１８の後端部にクランク１９及び作動部材２０を介してソレノイド１５が連結される。そして、該ソレノイド１５が駆動すると各可動片１６が図２に仮想線・実線で示したように起立または傾動し、その傾動時に遊技盤４２面を流下する遊技球が捕捉されて可変入賞口１４に入り、該遊技球は遊技室５に流落し得る。なお、２１は取付基板１の上部に可変入賞口１４から所定の間隔を離して形成した突出部で、該突出部２１の前面にはドットマトリックス表示器２２が設けられる。
【００１７】
上記遊技室５には、前記可変入賞口１４の下方であって中間高さ位置に後方へ向けて緩やかに下傾するように傾斜棚２３が設けられ、可変入賞口１４に入った遊技球は該傾斜棚２３上に一旦落下する。該傾斜棚２３の後縁は、遊技球が落下し得る間隔２４を離して前記人形７と相対している。
【００１８】
２５は前記人形７の腹部に前方に進出可能に設けられたポケット形の進退動型電動部材、２６は該進退動型電動部材２５を進退動させるために設けられたソレノイドである。該人形７の後側に相当する後側正面壁６の裏側には遊技球が通過し得る通路２７が形成され、該通路２７は該人形７の股下部に開設された放出口２８に連通する。３０はソレノイド２９の駆動により枢支部３１を支点として傾動するように支持された停留レバーである。そして、その傾動により該停留レバー３０の先端３０ａが前記放出口２８と相対するようにステージ板８より出没し、放出口２８から放出された遊技球が該停留レバー３０により一時停留されるように構成している。
【００１９】
また、３２，３２は前記人形７の両側で傾斜棚２３の両サイド奥部に設けられ突面が前側を向く半球殻状の回転型電動部材である。３３は該各回転型電動部材３２を先端に支持している回転軸である。該各回転軸３３は歯車３４を介して可変速モータ３５に連繋され、該可変速モータ３５を駆動することにより該回転型電動部材３２は図２矢印の方向に回転する。該各回転型電動部材３２には等間隔に複数の透孔３６が形成され、前記傾斜棚２３の上面に落下した遊技球は前記間隔２４から落下するほか該透孔３６からその内側に落下し得る。３７，３７は後側正面壁６の前記放出口２９の両側に開設され通路２７と連通するサブ放出口である。３８，３８は前記いずれかの透孔３６から落下した遊技球を該各サブ放出口３７に導くために該各回転型電動部材３２内から該各サブ放出口３７に至る傾斜状に形成した曲り通路である。
【００２０】
よって、前記可変入賞口１４に入りカウントスイッチ１３を通過し傾斜棚２３の上面に落下した遊技球は、該傾斜棚２３の上面を後方に転がって前記間隔２４から人形７の前に落下したり、或は、該傾斜棚２３の上面にて両サイドにずれると回転中の各回転型電動部材３２に接触して弾かれたり、或は、いずれかの透孔３６内に転落する。そのとき、回転型電動部材３２の回転速度が遅いと透孔３６内に転落し易くなる。そして、透孔３６内に転落した遊技球はサブ放出口３７からステージ板８の上面に放出されることから、直下方に転がって通常入賞口１０に入賞し易く、特別入賞口１１に入賞することは殆どない。また、間隔２４からステージ板８の上面に落下した遊技球は特別入賞口１１に入賞することもあるが、通常入賞口１０に入賞する確率も高い。
【００２１】
また、遊技球が間隔２４から落下するときソレノイド２６の作動で進退動型電動部材２５が図３に破断線で示したように進出していると、該遊技球が該進退動型電動部材２５によって受けられる。そして、該進退動型電動部材２５が後退したときに、該遊技球は通路２７を通って放出口２８より放出され、破断線で示したように停留レバー３０の先端３０ａが突出していることで該遊技球は一時停留される。その後、該遊技球は停留レバー３０の下動動作と共にステージ板８の上面を真直ぐ前方に転がることから、中央の特別入賞口１１に容易に入賞し継続スイッチ１２を作動させる。
【００２２】
更に、本発明にあっては、前記特別入賞口１１に、その後側からのみしか遊技球が入賞し得ないように特別入賞口１１を囲う囲い枠部材３９が設けられている。該囲い枠部材３９は、透明な合成樹脂材からなり、特別入賞口１１の両側方とその間の上方を覆いかつ後面と前面が開放され、上面が正面から見て円弧状をなすアーチ状に形成されている。なお、該囲い枠部材３９は、その形状に限定されるものではなく、例えば図示は省略するが線材から枠状に形成しても良い。
【００２３】
本発明に係る可変入賞装置Ａは上記構成からなり、次に該可変入賞装置Ａが適用されるパチンコ遊技機Ｐについて説明する。パチンコ遊技機Ｐは、図５に示すように外枠４０の前面に前面枠４１が開閉自在に装着され、その後側に遊技盤４２が配設される。前面枠４１には、その上部に遊技盤４２の前面を覆う透明板保持枠４３が開閉自在に装着されると共にその下方に前板４４が同じく開閉自在に装着される。遊技盤４２は透明盤保持枠４３の窓口５４を介して前面から視認できるようになっており、該窓口４５は、二枚のガラス板または合成樹脂板からなる透明板４６により覆われる。前板４４の前面には、打球発射部（図示せず。）へ供給される遊技球を貯留するための上受球皿４７が装着される。また、前面枠４１の下部前面に前記上球受皿４７から溢れる遊技球を貯留する下球受皿４８が装着され、その一側に打球の打球力を調整するための打球調整ハンドル４９が装着される。
【００２４】
前記遊技盤４２には、前面の中央部に可変入賞装置Ａが装着され、その下方に三個の始動口５０ａ，５０ｂ，５０ｃが横に並設される。また、それぞれの始動口５０ａ，５０ｂ，５０ｃには入賞した遊技球を検出する球検出スイッチ５１ａ，５１ｂ，５１ｃが設けられている。両側の始動口５０ａ，５０ｃに入賞球が入賞すると、各球検出スイッチ５１ａ，５１ｃにより検出されて前記両可動片１６，１６を１回傾動させる。また、中央の始動口５０ｂに遊技球が入賞すると、球検出スイッチ５１ｂにより検出されて可動片１６，１６を２回傾動させて、遊技盤４２の前面を流下する遊技球を捕捉して各可変入賞口１４内に入賞可能としている。
【００２５】
５２は遊技盤４２の所定位置に配設される一般の入賞口、５３は遊技盤４２の前面を流下する遊技球の流れ方向をランダムに変える風車である。前記可変入賞装置Ａの各動作及び始動口５０ａ，５０ｂ，５０ｃの球検出スイッチ５１ａ，５１ｂ，５１ｃにおける遊技球の検出は中央制御装置（図示せず。）により電気的に制御されるようになっている。
【００２６】
次に、可変入賞装置Ａの作用を説明する。遊技盤４２の前面に打ち込まれた遊技球が始動口５０ａまたは５０ｂまたは５０ｃに入賞したことが検知されると、両ソレノイド１５，１５を作動させ両可動片１６，１６を１回または２回傾動させて開く。また、ソレノイド２６を作動させ進退動型電動部材２５を進出させそのポケットを開かしめる。そして、可変入賞口１４に入賞した遊技球Ｂは、カウントスイッチ１３により検知されると共に傾斜棚２３の上面に落下し、後方へ転動する。
【００２７】
前記傾斜棚２３の上面を後方へ転動する遊技球Ｂは、図４に示すようにそのまま後端の間隔２４からステージ板８の上面に落下したり、いずれかの回転型電動部材３２に当接して該回転型電動部材３２の周面に沿って同じく後方の間隔２４から下方のステージ板８の上面に落下する。または、前記遊技球Ｂが、前記回転型電動部材３２の透孔３６内に入り曲り通路３８を介してステージ板８の上面に放出される。これらステージ板８の上面を転動する遊技球Ｂは、前方へ向い入賞領域９の通常入賞口１０または特別入賞口１１に入賞することになる。ただ、この場合、特別入賞口１１に入賞することがあるが、その可能性（確率）は低い。
【００２８】
一方、図３に示すように前記傾斜棚２３の上面を後方へ転動し、間隔２４から偶然にソレノイド２６の作動で進退動型電動部材２５が進出しているとき該進退動型電動部材２５によって受けられた遊技球Ｂは、進退動型電動部材２５が後退したときに通路２７を通って放出口２８より放出され、停留レバー３０の先端３０ａで一時停留される。そして、該遊技球Ｂはその後にステージ板８の上面を真直ぐ前方に転がることから、中央の特別入賞口１１に入賞し易くなる。遊技球Ｂが該特別入賞口１１に入賞すると、継続スイッチ１２が作動して大当たり処理がなされる。
【００２９】
この大当たり処理では、ラウンド回数が前記突出部２１のドットマトリクス表示器２２に表示されると共に第１ラウンドが開始される。この間、両可動片１６が開閉を繰返し、各可変入賞口１４に遊技球Ｂが１０個入賞するか、或いは、該各可動片１６が１８回開閉すると第１ラウンドが終る。その第１ラウンドの間に該可変入賞装置Ａに入賞した遊技球Ｂの内、少なくとも１個が特別入賞口１１に入賞していた場合は、第２ラウンドが開始されて第１ラウンドと同様に該各可動片１６の開閉がさらに繰り返される。以下、同様の動作が上記のようにセットされた最大ラウンド数に至るまで繰り返され、大当たり動作が終了する。
【００３０】
そこで、遊技者が透明板４６の前面に磁石Ｓを近づけ、本来通常入賞口１０に入賞するであろう遊技球Ｂ１を故意に特別入賞口１１に入賞させようとする場合、すなわち、図６、図７に示すように該遊技球Ｂ１を透明板４６の後面に接触させ該磁石Ｓに遊技球Ｂ１を吸着させる。そして、該磁石Ｓを透明板４６に接触させたまま特別入賞口１１側へずらし、特別入賞口１１の上面で遊技球Ｂ１を落下させようと磁石Ｓを透明板４６から離しても、該遊技球Ｂ１は囲い枠部材３９に阻まれ特別入賞口１１へ入賞させることができなくなる。因みに、該遊技球Ｂ１は通常入賞口１０に入賞する。これにより、故意に特別入賞口１１に遊技球１を入賞させるという不正行為が防止できる。
【００３１】
また、囲い枠部材３９がアーチ状の透明な素材により形成されているので、遊技者にとって特定入賞口１１に遊技球Ｂが入賞する動作が視認し得て安心でき、しかも、デザイン的に興趣が殺がれるといったことがない。
【００３２】
また、遊技中に、磁石Ｓによって遊技室５内に入賞した遊技球を入賞領域９の前で複数個停留させておくことにより、囲い枠部材３９を乗り越えさせて特別入賞口１１に入賞させる危険性もある。そこで、通常入賞口１０および特別入賞口１１を通過した遊技球を検知する確認スイッチ５４を設けておき、遊技球が前記カウントスイッチ１３を通過してから確認スイッチ５４を通過するまでのタイムラグを設定しておけば、不正を働き遊技室５内に遊技球を停留させているかどうかを容易に確認可能となる。
【００３３】
本発明にあっては、囲い枠部材３９を特別入賞口１１に設けるようにしたが、逆に、図示は省略するがその両側の通常入賞口１０に前記と同様にして設けるようにしても良い。更には、通常入賞口１０及び特別入賞口１１に跨るような囲い枠部材を成形し、該囲い枠部材により通常入賞口１０及び特別入賞口１１を同時に囲うようにしても良い。いずれの場合も本願発明と同等の効果が得られる。
【図面の簡単な説明】
【００３４】
【図１】本発明に係る可変入賞装置の斜視図。
【図２】同正面図。
【図３】図２のＸ−Ｘ線断面図。
【図４】図２のＹ−Ｙ線断面図。
【図５】本発明に係る可変入賞装置が適用されるパチンコ遊技機の正面図。
【図６】不正行為の作用を説明する可変入賞装置の一部の平面図。
【図７】同正面図。
【符号の説明】
【００３５】
８                      ステージ板
９                      入賞領域
１０                    通常入賞口
１１                    特別入賞口
３９                    囲い枠部材
４２                    遊技盤
Ａ                      可変入賞装置
Ｂ                      遊技球
【図１】
2007307207.tif 000003
【図２】
2007307207.tif 000004
【図３】
2007307207.tif 000005
【図４】
2007307207.tif 000006
【図５】
2007307207.tif 000007
【図６】
2007307207.tif 000008
【図７】
2007307207.tif 000009